(57)【要約】      （修正有）【課題】磁力の高い永久磁石２と無機ゲルマニウムを含有するシート材３を十分に利用して、身体に密着させる使用方法で、身体全体の調子を整える効果が得られる健康促進具１を提供する。【解決手段】永久磁石２を土台４に貼り付け、上から無機ゲルマニウムを含有するシート材３で覆うものであり、人体当接側の面が無機ゲルマニウムシート材３で形成されることを特徴とする。【選択図】図１
0003145852.tif 000002
【実用新案登録請求の範囲】
【請求項１】
永久磁石を貼り付けるための土台と、永久磁石と土台を覆う無機ゲルマニウムを含有するシート材を備えており、人体当接側の面が無機ゲルマニウムシート材で形成されることを特徴とする健康促進具。
【考案の詳細な説明】
【技術分野】
【０００１】
本考案は、永久磁石と無機ゲルマニウムシートの特性を生かした健康促進具に関したものである。
【背景技術】
【０００２】
従来の永久磁石と無機ゲルマニウム関するものは、貼付式の粘着テープによるもの、下着に取り付けるタイプ。ネックレス、ブレスレット、布団、敷布、腹巻タイプ。ローラー等、色々ある。
【考案の開示】
【考案が解決しようとする課題】
【０００３】
貼付式の粘着テープによるものは、永久磁石による金属アレルギー、テープによる皮膚のかぶれやかゆみ、汗による脱落が問題であった。また磁石は動きのあるところに磁場が変化し電気が起きるという特性があるので、磁石を皮膚に貼るというのは、血流の動きと筋肉の動きのみだけなので、ツボ刺激はあるだろうけれど磁石の効果は限定されるという考えもあった。
【０００４】
下着に取り付けるタイプ、布団、敷布、腹巻タイプは耐久性と清潔性の問題。マジックテープ（登録商標）などで取り付けるものは、商品に飽きるという問題点があった。ネックレスやブレスレット等は、重く、デザインが限定されるという問題があった。また皮膚を転がすローラーと同じく高価格であった。
【０００５】
磁気の生体への影響は個人差があるが、よく言われる影響として、血液中の電荷を持つ電解質への効果である。
血液中に含まれた電解質が、血液と共に体内を流れる事により、体内には微弱な電流が存在するとされている。ここに永久磁石により磁場を加えると、フレミングの左手の法則によりその流れを活発にして、血液の流れを良くすると考えられている。そしてその有効性は医学的にも実証されている。
現代は車の中、電車の中、ビルの中など、生活の場は鉄の箱の中に居るようなものである。それにより地球の磁気が鉄に吸収されて、人体は磁気不足になる。この磁気を補給することにより、心身の変調がかなりの割合で改善されるのもまた医学統計的に実証されている。
最近よく使用されるネオジム磁石はサイズが小さく高い磁力を有する磁石であるが、金属アレルギーの人には不向きであった。
そこでシリコンなどで囲んだり、布帛のうちに配置したり、コーティングしたりしたものがあった。雑多になるのでここでは先行技術文献は挙げない。
【０００６】
無機ゲルマニウムは、生物の体に流れる微弱な生体電流を整えることが知られている。ストレスや疲労などで電子バランスが崩れ、プラスの電子が増える事で体は不調を感じる。肩こりや腰痛、関節炎など不調の原因は細胞のプラス電子により引き起こると考えられている。
無機ゲルマニウムは、熱によりマイナス負荷の電子を発する。金属元素は皮膚に密着させると「電子浸透圧」という金属元素の持つ電子が体内に吸収されるという性質がある。これによりゲルマニウムを皮膚に密着させることでプラスに傾き不調になった体の電流を整える事ができるといわれている。
また半導体なので、金属アレルギーを起こす心配はない。磁力も良く通す。
しかし、無機ゲルマニウムは99.999％以上の純度でないと効果的ではないという考えがある。そういった純度の高いゲルマニウムを焼結したものなどを求めると非常に高価なものになる。
本考案はこれらに対しての問題点を解決するためになされたものである。
【課題を解決するための手段】
【０００７】
上記課題を解決するために、請求項１記載の考案にかかる健康促進具は、永久磁石を、一個ないし数個を土台に貼り付け、上から無機ゲルマニウムを含有するシート材を覆うことにより、人体当接側の面が無機ゲルマニウムシート材で形成されることを特徴とする。
無機ゲルマニウムは99.999％以上の純度でないと効果的ではないという考えがある。有機ゲルマニウムはもちろん100％のものでなければならないが、水に溶かして飲料にする。
それと同じように、純度99.999％の無機ゲルマニウムを塗料などに混ぜて使用することにより、表面が99.999％の無機ゲルマニウムを含有するというシートがある。
このシートを使用することにより、人体当接側の面が効果的な無機ゲルマニウムシート材で形成される。
ゲルマニウムは磁力も良く通すので、永久磁石の効果である血液の流れを良くし、磁気を補給する働きがスムーズに行われる。
【考案の効果】
【０００８】
無機ゲルマニウムを含有するシート材を使用することにより、永久磁石はサイズが小さく高い磁力を持つネオジム磁石などが使用できる。例えば平たい磁石を使用すると、外観にあまり影響が出ることはない。半導体である無機ゲルマニウムは、懸念の金属アレルギーの人にも対応が出来る。
【０００９】
サイズが小さく高い磁力を持つ永久磁石を使用すれば、無機ゲルマニウムを含有するシート材により、サイズが自由になる。コンパクトにすれば、どこにでも移動できるので有効的なツボ刺激も可能になる。
サイズを大きくすれば、大きいサイズの永久磁石を挟み込むことにより、治療院などでも使用可能となる。
【００１０】
面の状態で皮膚にピッタリ触れることにより、無機ゲルマニウムの生体電流を整える効果と、永久磁石の血液中のイオンに働きかけて、血行をよくし、磁気を補う効果のダブルの効果が期待できる。また貼り付けた磁石が挟み込まれる形体になるので、万一磁石が土台からはがれ落ちても見失う事はない。
永久磁石は動きのあるところに磁場が変化し電気が起きるという特性がある。本考案は移動が容易にできる。
【考案を実施するための最良の形態】
【００１１】
以下、本考案にかかる健康促進具の一実施形態について、図面に基づいて詳細に説明する。
本実施形態の健康促進具１は、図1に示すように、永久磁石を貼り付けた土台と、それを覆う無機ゲルマニウムを含有するシート材から形成されるものであり、無機ゲルマニウムを含有するシートは常に皮膚に密着する。
皮膚に密着することにより、無機ゲルマニウムは生物の体に流れる微弱な生体電流を整えることが知られている。身体の痛み、特に慢性的な痛みを和らげ、副交感神経が活性化してリラックス効果があることは最近よく知られるようになった。
本発明で使用する無機ゲルマニウムを含有するシート素材は99.999％の無機ゲルマニウムと塗料とを混ぜたものである。比較的安価で耐性の高いものでありながら、切る、縫う、貼る、が可能である。磁力も良く通す。
永久磁石はネオジム磁石など磁力が強く、小さいものを使用する。それにより有効的に磁力を得ることができる。
磁力は血液の流れを良くすると考えられている。また現代生活により地球の磁気が周りの鉄に吸収されて、磁気不足になった人体は、磁気を補給することにより、心身の変調がかなりの割合で改善されると言われている。
【００１２】
平たくコンパクトになるので、図１０に示すように下着、ベルト、サポーターなどに挟みこむことができる。それにより有効的なツボ刺激も可能になる。
図６に示すように土台に革、レース、ビーズなどを使用することによりアクセサリー感覚でも使用できる。
【００１３】
健康促進具のサイズを大きくすれば、大きいサイズの永久磁石を挟み込むことにより、図８に示すように治療院などでも使用可能となる。
【００１４】
永久磁石は動きのあるところに磁場が変化し電気が起きるという特性がある。本考案にかかる健康促進具は移動が容易にできる。また土台と磁石とシートごと、図９に示すようにクルクルと巻ける状態にもできる。棒状のものにバンドなど係止具で巻けば、転がすマッサージ、たたくマッサージ、力を加えてのツボ刺激マッサージも楽にできる。
【図面の簡単な説明】
【００１５】
【図１】本考案にかかる一実施形態の健康促進具の斜視図。
【図２】図１に示す健康促進具の透過斜視図。
【図３】図１に示す健康促進具の平面図。
【図４】図１に示す健康促進具の透過平面図。
【図５】図１に示す健康促進具の側面図。
【図６】本考案にかかる一実施形態の健康促進具の平面図。
【図７】図１１に示す健康促進具の外観平面図。
【図８】本実施形態の健康促進具の使用例を示す説明図。
【図９】本実施の他の実地例を示す斜視図。
【図１０】本実施形態の健康促進具を人体に装着した使用例を示す説明図。
【符号の説明】
【００１６】
（１）  健康促進具
（２）  永久磁石
（３）  無機ゲルマニウム含有のシート材
（４）  土台
（５）  腹巻
（６）  サポーター
（７）  棒状のもの
（８）  バンドなど係止具
【図１】
0003145852.tif 000003
【図２】
0003145852.tif 000004
【図３】
0003145852.tif 000005
【図４】
0003145852.tif 000006
【図５】
0003145852.tif 000007
【図６】
0003145852.tif 000008
【図７】
0003145852.tif 000009
【図８】
0003145852.tif 000010
【図９】
0003145852.tif 000011
【図１０】
0003145852.tif 000012